(57)【要約】【課題】自分の好みの色や模様を自由に表現することができる簡単な構造のぬいぐるみタイプの人形玩具を提供すること。【解決手段】それぞれ独立した頭部１、胴体部２および１対の手部３と足部４とを備え、上記頭部１と胴体部２とは、それぞれ前後に２分割されて前部材１ａ、２ａと後部材１ｂ、２ｂとから構成するとともに、上記前部材１ａ、２ａと後部材とはそれぞれ表側に頭部、胴体部の外形を模した凸面を有する型出し部材６と、この型出し部材６の表面を覆う布材７と、この布材７を上記型出し部材６の外周縁から裏側に巻きこんだ状態で上記型出し部材６の裏側に嵌め込まれる裏当て部材８とから構成し、上記一対の手部３と足部４とはそれぞれ紐体１５、１６で連結した。【選択図】図１
2005066131.tif 000002
【特許請求の範囲】
【請求項１】
以下の要件を備えたことを特徴とする人形玩具。
（イ）それぞれ独立した頭部、胴体部および１対の手部と足部とを備えていること
（ロ）上記頭部と胴体部とは、それぞれ前後に２分割されて前部材と後部材とから構成されていること
（ハ）上記前部材と後部材とはそれぞれ表側に頭部、胴体部の外形を模した凸面を有する型出し部材と、この型出し部材の表面を覆う布材と、この布材を、上記型出し部材の外周縁から裏側に巻きこんだ状態で上記型出し部材の裏側に嵌め込まれる裏当て部材とから構成されること
（二）上記一対の手部と足部とはそれぞれ紐体で連結され、該紐体の中央部分は上記胴体部の前部材と後部材とで挟持され、胴体部から突出した部分の紐体は腕部と脚部とを構成すること
【請求項２】
以下の要件を備えたことを特徴とする、人形玩具の製作玩具。
（イ）表側に頭部と胴体部との外形を模した凸面を有する型出し部材が圧入される凹部が形成された型体をそれぞれ有すること
（ロ）玩具本体は、上記型体を保持する保持部が形成された基台と、該基台に上下に回動可能に配置されたレバー部材とで構成され、該レバー部材には、上記保持部に保持された型体の凹部に上記型出し部材を圧入するとともに、上記型体の凹部に圧入された型出し部材に裏当て部材を嵌め込むための押圧手段を備えたこと
（ハ）上記押圧手段は、上記型体の上面に載せた布材とともに型出し部材を上記凹部に圧入して上記型出し部材の表面を布材で覆うとともに該布材を型出し部材の外周縁から裏側に巻きこんだ状態にした後、裏当て部材を型出し部材の裏側に嵌め込むように設けられていること
【請求項３】
前記基台に前記布材の載置位置を指定するテンプレートを着脱可能に設けた、請求項２記載の人形玩具の製作玩具。
【発明の詳細な説明】
【技術分野】
【０００１】
本発明は、表面が布材で覆われたぬいぐるみタイプの人形玩具およびこの人形玩具を製作する製作玩具に関するものである。
【背景技術】
【０００２】
従来から、動物や人を模したぬいぐるみや人形玩具は種々存在する。需要者は見た目のかわいらしさをその購入基準とする。具体的には、形状や色彩で判断する場合が多い。
【０００３】
しかし、ぬいぐるみを製作する場合、詰め物を本体の内部に充填する作業は自動化しにくいので、手作業に頼ることが多く、手数がかかるため、値段も高い。また、市販されているものは、同じようなものが多く、特に好みの色や模様が施されているものを探すのは非常に難しい。
【０００４】
また、需要者は他人のものとは差別化したオリジナリティのあるものを望む傾向が強い。
【発明の開示】
【発明が解決しようとする課題】
【０００５】
本発明は上記問題点を解消し、自分の好みの色や模様を自由に表現することができる簡単な構造のぬいぐるみタイプの人形玩具、およびこの人形玩具を製作することができる製作玩具を提供することをその課題とする。
【課題を解決するための手段】
【０００６】
本発明に係る人形玩具は、以下の要件を備えたことを特徴とする。
（イ）それぞれ独立した頭部、胴体部および１対の手部と足部とを備えていること
（ロ）上記頭部と胴体部とは、それぞれ前後に２分割されて前部材と後部材とから構成されていること
（ハ）上記前部材と後部材とはそれぞれ表側に頭部、胴体部の外形を模した凸面を有する型出し部材と、この型出し部材の表面を覆う布材と、この布材を、上記型出し部材の外周縁から裏側に巻きこんだ状態で上記型出し部材の裏側に嵌め込まれる裏当て部材とから構成されること
（二）上記一対の手部と足部とはそれぞれ紐体で連結され、該紐体の中央部分は上記胴体部の前部材と後部材とで挟持され、胴体部から突出した部分の紐体は腕部と脚部とを構成すること
【０００７】
また、本発明に係る人形玩具の製作玩具は、以下の要件を備えたことを特徴とする。
（イ）表側に頭部と胴体部との外形を模した凸面を有する型出し部材が圧入される凹部が形成された型をそれぞれ有すること
（ロ）玩具本体は、上記型体を保持する保持部が形成された基台と、該基台に上下に回動可能に配置されたレバー部材とで構成され、該レバー部材には、上記保持部に保持された型体の凹部に上記型出し部材を圧入するとともに、上記型体の凹部に圧入された型出し部材に裏当て部材を嵌め込むための押圧手段を備えたこと
（ハ）上記押圧手段は、上記型の上面に載せた布材とともに型出し部材を上記凹部に圧入して上記型出し部材の表面を布材で覆うとともに該布材を型出し部材の外周縁から裏側に巻きこんだ状態にした後、裏当て部材を型出し部材の裏側に嵌め込むように設けられていること
【０００８】
そして、前記基台に前記布材の載置位置を指定するテンプレートを着脱可能に設け、布材と型出し部材との相対位置が正しくなるようにすればよい。
【発明の効果】
【０００９】
請求項１に係る発明によれば、詰め物を詰める必要がないので、簡単にかつ低コストでぬいぐるみ状の人形玩具を製作することができる。また、型出し部材に凸面があるので、綿を詰め込んで所定の形状にする必要がない。しかも、手作りでできるので、布材の色や模様を自分の好みのものに合わせて自由に表現することができる。
【００１０】
請求項２に係る発明によれば、押圧手段により型出し部材の表面を布材で覆うととともに、型出し部材の外周縁から裏側に布材を巻きこんだ状態で裏当て部材を型出し部材の裏側に嵌め込むことができるので、ユーザーは好みの模様の布材を選択し、選択した布材でオリジナリティのある人形玩具を製作することができる。
【００１１】
請求項３に係る発明によれば、布材を基台上の正しい位置にセットすることができるので、一回の操作で布材を型出し部材に正しく被せることができる。
【発明を実施するための最良の形態】
【００１２】
それぞれ独立した頭部、胴体部および１対の手部と足部とを備え、上記頭部と胴体部とは、それぞれ前後に２分割されて前部材と後部材とから構成し、上記前部材と後部材とはそれぞれ表側に頭部、胴体部の外形を模した凸面を有する型出し部材と、この型出し部材の表面を覆う布材と、この布材を、上記型出し部材の外周縁から裏側に巻きこんだ状態で上記型出し部材の裏側に嵌め込まれる裏当て部材とから構成するとともに、上記一対の手部と足部とはそれぞれ紐体で連結し、胴体部の前部材と後部材との間に上記紐体を配置して、前部材と後部材との合体時には上記紐体が腕部と脚部とを構成するようにすればよい。
【実施例】
【００１３】
図１は、本発明に係る人形玩具Ａの一例を示す斜視図で、上記人形玩具は、それぞれ独立した頭部１、胴体部２及び１対の手部３と足部４とを備えている。
【００１４】
上記頭部１と胴体部２は、それぞれ図２に示されるように、前後に２分割された前部材１ａ、２ａと後部材１ｂ、２ｂとから構成され、頭部１の前部材１ａ（後部材１ｂも）は表側に頭部１の外形を模した凸面５を有する型出し部材６と、この型出し部材６の表面を覆う布材７と、この布材７を、上記型出し部材６の外周縁から裏側に巻きこんだ状態で上記型出し部材６の裏側に固定される裏当て部材８とから構成されている（図３参照）。
【００１５】
そして、型出し部材６の内面中央には軸部９が形成されるとともに、嵌合凹部１０が形成され、裏当て部材８の裏面中央には筒部１１が突出形成され、表面には嵌合凹部１２が形成されている。そして、上記軸部９を上記筒部１１に圧入することにより裏当て部材８が型出し部材６に固定され、布材７は型出し部材６の外周縁から裏側に巻き込まれた状態で挟持することができるようになっている。
【００１６】
そして、図示しないが、胴体部の前部材２ａ及び後部材２ｂも、頭部１と同様に、表側に胴体部１の外形を模した凸面５を有する型出し部材６と、この型出し部材６の表面を覆う布材７と、この布材７を、上記型出し部材６の外周縁から裏側に巻きこんだ状態で上記型出し部材６の裏側に固定される裏当て部材８とから構成され、型出し部材６の内面中央には軸部９が形成され、これに対して裏当て部材８には筒部１１が突出形成されている。
【００１７】
１対の手部３と足部４は、それぞれ紐体１５、１６で連結され、この紐体１５、１６は、図２に示すように、胴体部２の後部材２ｂ上に配置し、前部材２ａを上から被せるように結合すると、図１に示すように胴体部２の両側部に手部３と足部４とがそれぞれ紐体１５、１６を介して胴体部２に連結された状態になり、紐体１５、１６がそれぞれ腕部と脚部とを構成するようになっている。
【００１８】
なお、図２において、符号１７は頭部１と胴体部２とを連結する連結部材で、上下の両面には係合軸１８が突出形成され、この係合軸１８を裏当て部材８ａ、８ｂに形成された係合孔１９に係合させた状態で前部材１ａ、２ａと後部材１ｂ、２ｂとを合体させることにより頭部１と胴体部２とが連結できるようになっている。
【００１９】
そして、符号２０は耳部材で、玩具の形態（熊、ウサギなど）に対応して、その形状が設定されていればよく、後部材１ｂの裏当て部材８ｂに形成された嵌合突部２１に取り付け、嵌合突部２１を前部材１ａの裏当て部材８ａに形成された嵌合孔２２に嵌め合わせることにより耳部材２０を頭部１に取り付けることができるようになっている。
【００２０】
また、符号２３、２４は、裏当て部材８ｂに形成された嵌合軸を示し、この嵌合軸２３、２４は裏当て部材８ａに形成された嵌合孔２５、２６に嵌め合わせることにより前部材１ａと後部材１ｂとを、前部材２ａと後部材２ｂとを結合し、頭部１及び胴体部２を形成することができるようになっている（図４（ａ）（ｂ）参照）。
【００２１】
上記構成の人形玩具によれば、前部材と後部材との型出し部材の表面をそれぞれ布材で覆うとともに、布材を型出し部材の外周縁から裏側に巻き込んだ状態にした後、裏当て部材を型出し部材の裏側にはめ込むことによって、前部材と後部材とを形成することができるので、布材で覆われた前部材と後部材とを合体させることにより頭部及び胴体部を形成することができる。合体時に頭部と胴体部とを連結する連結部材と、左右の手部と左右の足部とを連結する紐体とを前部材と後部材とで挟持した状態で合体させれば人形玩具ができあがるので、ユーザーの気に入った布材を用いればユーザーのお気に入りの人形玩具を手にすることができる。
【００２２】
次に、図５〜図９に基づいて、上記人形玩具Ａをユーザーが自分で製作することができる人形玩具の製作玩具Ｂについて説明する。
【００２３】
この製作玩具Ｂは玩具本体３０と、型体３１とから構成されている。
【００２４】
玩具本体３０は、上記型体３１を保持する保持部３２が形成された基台３３と、この基台３３に上下に回動可能に配置されたレバー部材３４とで構成されている。
【００２５】
型体３１は頭部１用の型体３１ａと、胴体部２用の型体３１ｂとがあり、それぞれ表側に頭部１と胴体部２との外形を模した凸面を有する型出し部材６が圧入される凹部３５、３６が形成され、この凹部３５、３６の開口部周縁は上方に膨出するとともに内側に向かって係合縁３５ａ、３６ａが周設されている。この型体３１はポリエチレンなどの弾性を有する樹脂で形成され、型出し部材６を凹部３５、３６に圧入する際は係合縁３５ａ、３６ａを押し退けながら凹部３５、３６内に没入させることができるようになっている。
【００２６】
そして、基台３３には上記型体３１を保持する保持部３２が形成されているが、この保持部３２は略十字状に形成された凹部で、型体３１の前部に形成された切り欠き３７に対応して位置決め部３８が形成され、左右方向に拡幅形成された凹部３２ａは型体３１を取り出す際に指を差し込めるようにしたものである。
【００２７】
なお、基台３３の上面に形成された３つの突部３９は、後述するテンプレート５０、５１の位置決めに使用されるものである。
【００２８】
レバー部材３４は、上記保持部３２に保持された型体３１の凹部３５（３６）に上記型出し部材６を圧入するとともに、上記型体３１の凹部３５（３６）に圧入された型出し部材６に裏当て部材８を嵌め込むための押圧手段（押圧部）４５を備えたもので、このレバー部材３４は基台３３に軸部４２で上下に回動可能に設けられるとともに、このレバー部材３４にはさらに押圧レバー４３が軸部４４で上下に回動可能に設けられている。
【００２９】
上記押圧レバー４３には押圧部４５が設けられ、この押圧レバー４３は図示しないスプリングで常に上動するように付勢されている。上記押圧部４５は先端が型出し部材６、裏当て部材８に形成された嵌合凹部１０、１２に嵌め合わせる嵌合突部４６が形成されている。
【００３０】
なお、図５において、符号５０は頭部１の型出し部材６を覆う布材７を布地から切り出すときに使用するテンプレートを示し、符号５１は胴体部２の型出し部材６を覆う布材を布地から切り出すときに使用するテンプレートを示す。このテンプレート５０、５１は、布地に当てて中央の開口部５０ａ、５１ａの内周縁に沿ってチャコやペンなどで印をつけ、その印に沿ってハサミやカッターで布材７を切り取ればよい。
【００３１】
なお、このテンプレート５０、５１は基台３３上に形成された突部３９に係合する３つの係合孔５２が形成され、布材７を基台３３上に載置する際に布材７を正しく載置するための位置決め機能を備えている。
【００３２】
次に、上記構成の製作玩具の使用態様を頭部について説明する。
【００３３】
先ず、型体３１を基台３３に形成された保持部３２に保持させる（図６参照）、次に、図７に示すように、テンプレート５０（５１）を基台３３上に固定する。このとき係合孔５２を基台３３上面に形成された突部３９に嵌め合わせて位置決めする。
【００３４】
そして、押圧部４５の先端に形成された嵌合突部４６に型出し部材６を嵌め合わせ、テンプレート５０（５１）の開口部に対応するように上記型体３１の上面に布材７を載せ、図８に示すように、レバー部材３４を押し下げる。
【００３５】
押圧部４５の先端に取り付けられた型出し部材６は、図９（ａ）（ｂ）に示すように、型体３１の凹部３５の開口部内周縁に形成された係合縁３５ａを押し退けながら凹部３５内に圧入させられるので、型出し部材６は布材７を凹部３５の内壁面に押し付けて上記型出し部材６の表面に布材７を密着させて覆われるとともに、布材７の周囲が凹部３５の係合縁３５ａにより型出し部材６の外周縁から裏側に巻きこまれた状態にすることができる（図９（ｂ）参照）。布材７はテンプレート５０（５１）で基台３３上に正しくセットできるので、布材７と型出し部材６との相対位置を正しくすることができ、一回の操作で布材７を型出し部材６に正しく被せることができる。
【００３６】
そして、レバー部材３４の押し下げを解除すると図示しないスプリングでレバー部材３４は上方に復帰回動する。
【００３７】
次に、押圧部４５の先端に形成された嵌合突部４６に裏当て部材８を嵌め合わせ、再びレバー部材３４を押し下げる。
【００３８】
押圧部４５の先端に取り付けられた裏当て部材８は、図９（ｃ）（ｄ）に示すように、型体３１の凹部３５に収容された型出し部材６に押し付けられ、筒部１１に軸部９が嵌め込まれるので型出し部材６と裏当て部材８とを一体に結合し、頭部１の前部材１ａ（後部材１ｂ）を作成することができる。レバー部材３４の押し下げを解除するとレバー部材３４は上方に復帰回動するので、製作した前部材１ａ（後部材１ｂ）は型体３１から取り外せばよい（図９（ｅ）参照）。
【００３９】
胴体部２の前部材２ａ、後部材１ｂも頭部１と同様の操作で作成することができる。
【００４０】
上述したように、布材７をテンプレート５０（５１）を使用して布地から切り取り、基台３３に型体３１をセットするとともに、テンプレート５０（５１）を基台３３にセットした後に布材７をテンプレート５０（５１）に合わせて型体３１上に載せ、押圧部４５の先端に型出し部材６を取り付けてレバー部材３４を押し下げれば、型出し部材６を布材７とともに型体３１の凹部内に圧入し、型出し部材６の表面を布材７で覆うことができる。続いて、押圧部４５の先端に裏当て部材８を取り付けて再びレバー部材３４を押し下げれば型出し部材６に裏当て部材８を固定することができ、頭部１及び胴体部２の前部材１ａ、２ａと後部材１ｂ、２ｂとを製作することができるので、でき上がった前部材１ａ、２ａと後部材１ｂ、２ｂとをそれぞれ組付ければ簡単に頭部と胴体部を製作することができる。
【００４１】
なお、布材７は自分の好みの色、模様を選ぶことができるので、手持ちの布地を利用してコストをかけずに楽しむことができる。
【００４２】
なお、人形玩具は動物を模したものでも人を模したものでもよい。
【図面の簡単な説明】
【００４３】
【図１】本発明に係る人形玩具の一例を示す斜視図。
【図２】上記人形玩具の分解斜視図。
【図３】型出し部材と裏当て部材の構造を説明する裏面側斜視図
【図４】（ａ）（ｂ）は前部材と後部材との結合を説明する要部断面図
【図５】製作玩具の構成を説明する斜視図
【図６】基台に型体をセットした状態を示す斜視図
【図７】製作玩具本体にテンプレート、布材及び型出し部材をセットした状態を示す斜視図
【図８】製作玩具の使用状態を説明する斜視図
【図９】（ａ）〜（ｅ）は型体で前部材及び後部材を作成する過程の説明図
【符号の説明】
【００４４】
１    頭部
１ａ    前部材
１ｂ    後部材
２    胴体部
２ａ    前部材
２ｂ    後部材
３    手部
４    足部
６    型出し部材
７    布材
８    裏当て部材
１５、１６  紐体
３１    型体
Ａ    玩具本体
Ｂ    製作玩具
【図１】
2005066131.tif 000003
【図２】
2005066131.tif 000004
【図３】
2005066131.tif 000005
【図４】
2005066131.tif 000006
【図５】
2005066131.tif 000007
【図６】
2005066131.tif 000008
【図７】
2005066131.tif 000009
【図８】
2005066131.tif 000010
【図９】
2005066131.tif 000011